(57)【要約】【課題】立上り管の内部の水を電熱ヒータで直接的に温めることで凍結を防止できる合理的な形態を備える不凍給水栓柱を提供する。【解決手段】カラン１０と、該カラン１０に連通するように起立した状態に設置される立上り管１１と、該立上り管１１の上端１２に接続されて側部（側部接続部２２）に前記カラン１０が接続される上部の継手２０とを備える不凍給水栓柱において、前記上部の継手２０の上側から前記立上り管１１の内部へ挿入されて配される棒状の発熱体部３１を備える電熱ヒータ３０が装着されている。【選択図】図１
2019124074.tif 000002
【特許請求の範囲】
【請求項１】
カランと、該カランに連通するように起立した状態に設置される立上り管と、該立上り管の上端に接続されて側部に前記カランが接続される上部の継手とを備える不凍給水栓柱において、
前記上部の継手の上側から前記立上り管の内部へ挿入されて配される棒状の発熱体部を備える電熱ヒータが装着されていることを特徴とする不凍給水栓柱。
【請求項２】
前記上部の継手が、下側接続部と側部接続部と上側接続部とを備えるＴ字状に設けられたチーズ継手によって構成され、
前記下側接続部に前記立上り管の上端が接続されると共に、前記側部接続部に前記カランが接続され、
前記上側接続部には、前記上部の継手の上端面を塞ぐと共に前記棒状の発熱体部が挿通された状態に保持されるように、中央部に貫通された挿通孔が設けられた上端プラグが装着されていることを特徴とする請求項１記載の不凍給水栓柱。
【請求項３】
前記立上り管が、外筒によって内包されていることを特徴とする請求項１又は２記載の不凍給水栓柱。
【発明の詳細な説明】
【技術分野】
【０００１】
本発明は、カランと、該カランに連通するように起立した状態に設置される立上り管と、該立上り管の上端に接続されて側部に前記カランが接続される上部の継手とを備える不凍給水栓柱に関する。
【背景技術】
【０００２】
従来、不凍地層の給水本管と屋内外の水利用器具間の給水管にヒートパイプを内挿または外装し、ヒートパイプの下端部に電熱ヒータを接して配してなる不凍給水栓（特許文献１参照）が、提案されている。
【先行技術文献】
【特許文献】
【０００３】
【特許文献１】実開昭６０−１４８３７２号公報（第１頁）
【発明の概要】
【発明が解決しようとする課題】
【０００４】
不凍給水栓柱に関して解決しようとする課題は、立上り管の内部の水を電熱ヒータで直接的に温めることで凍結を防止できる形態について、合理的なものが提案されていないことにある。
【０００５】
そこで、本発明の目的は、立上り管の内部の水を電熱ヒータで直接的に温めることで凍結を防止できる合理的な形態の不凍給水栓柱を提供することにある。
【課題を解決するための手段】
【０００６】
本発明は上記目的を達成するために次の構成を備える。
本発明にかかる不凍給水栓柱の一形態によれば、カランと、該カランに連通するように起立した状態に設置される立上り管と、該立上り管の上端に接続されて側部に前記カランが接続される上部の継手とを備える不凍給水栓柱において、前記上部の継手の上側から前記立上り管の内部へ挿入されて配される棒状の発熱体部を備える電熱ヒータが装着されている。
【０００７】
また、本発明にかかる不凍給水栓柱の一形態によれば、前記上部の継手が、下側接続部と側部接続部と上側接続部とを備えるＴ字状に設けられたチーズ継手によって構成され、前記下側接続部に前記立上り管の上端が接続されると共に、前記側部接続部に前記カランが接続され、前記上側接続部には、前記上部の継手の上端面を塞ぐと共に前記棒状の発熱体部が挿通された状態に保持されるように、中央部に貫通された挿通孔が設けられた上端プラグが装着されていることを特徴とすることができる。
【０００８】
また、本発明にかかる不凍給水栓柱の一形態によれば、前記立上り管が、外筒によって内包されていることを特徴とすることができる。
【発明の効果】
【０００９】
本発明にかかる不凍給水栓柱によれば、立上り管の内部の水を電熱ヒータで直接的に温めることで凍結を防止できる合理的な形態を提供することができるという特別有利な効果を奏する。
【図面の簡単な説明】
【００１０】
【図１】本発明にかかる不凍給水栓柱の形態例を示す断面図である。
【発明を実施するための形態】
【００１１】
以下、本発明にかかる不凍給水栓柱の形態例を添付図面（図１）に基づいて詳細に説明する。この不凍給水栓柱は、カラン（蛇口）１０と、そのカラン１０に連通するように起立した状態に設置される立上り管１１と、その立上り管１１の上端１２に接続されて側部にカラン１０が接続される上部の継手２０とを備えることを基本的な構成としている。
【００１２】
そして、本発明にかかる不凍給水栓柱においては、上部の継手２０の上側から立上り管１１の内部へ挿入されて配される棒状の発熱体部３１を備える電熱ヒータ３０が装着されている。棒状の発熱体部３１は、細長い棒状で、その先端が立上り管１１の下方内部の奥深くまで達する形態になっている。
【００１３】
これによれば、立上り管の内部の水を電熱ヒータ３０で直接的に温めることで凍結を防止できる合理的な形態になっている。すなわち、特許文献１の形態や、凍結防止帯をカラン１０や立上り管１１の外周に巻き付ける形態に比べて、立上り管の内部の水を電熱ヒータ３０（棒状の発熱体部３１）で直接的に温めることになるため、効率的に熱が伝達され、凍結を効率良く防止できる。このため、消費電力を低減できる。また、前述の従来の形態よりも、外観的にもシンプルにできる長所がある。
【００１４】
なお、本形態例の電熱ヒータ３０は、図１に示すように、棒状の発熱体部３１が、先端が閉じた有底の長細い直管状の保護管部３３にヒータ部３２が内蔵された構造になっており、その棒状の発熱体部３１の基部が、後述する上端プラグ４０に装着される装着根元部３４になっている。また、棒状の発熱体部３１からは、電源コード３５が延び、その先端に電源プラグ３６が設けられている。さらに、この電熱ヒータ３０に、サーモスタット機能を設けることで、消費電力の低減ができることは勿論である。
【００１５】
また、本形態例の不凍給水栓柱においては、上部の継手２０が、下側接続部２１と側部接続部２２と上側接続部２３とを備えるＴ字状に設けられたチーズ継手によって構成され、下側接続部２１に立上り管１１の上端１２が接続されると共に、側部接続部２２にカラン１０が接続されている。
【００１６】
そして、上側接続部２３には、上部の継手２０の上端面を塞ぐと共に棒状の発熱体部３１が挿通された状態に保持されるように、中央部に貫通された挿通孔４１が設けられた上端プラグ４０が装着されている。
【００１７】
これによれば、容易且つ適切に、棒状の発熱体部３１が挿通されて立上り管１１の内部に挿入された状態に電熱ヒータ３０（棒状の発熱体部３１）を装着することができる。すなわち、立上り管１１の上から棒状の発熱体部３１を挿入する作業は、無理なく容易に行うことができ、電源コード３５が、地面を基準にして立上り管１１の高さよりも高い位置から延びることになり、漏電の可能性を低減できるように配線し易い形態になっている。
【００１８】
なお、本形態例の上端プラグ４０は、装着時に上下に貫通することになる挿通孔４１を備え、内周４２に、棒状の発熱体部３１の基部である装着根元部３４に設けられた雄螺子部が螺合する雌螺子部が設けられ、外周４３に、上側接続部２３に設けられた雌螺子部が螺合する雄螺子部が設けられ、リング状又はドーナツ状のネジ部材になっている。また、装着根元部３４には、フランジ部３４ａが設けられており、棒状の発熱体部３１の挿入長さ位置を規定するストッパとして機能している。
【００１９】
また、本形態例の不凍給水栓柱においては、立上り管１１が、外筒６０によって内包されている。この外筒６０は、リング状又はドーナツ状の上端面部材６１及び下端面部材６２によって、その外筒６０の上下の端面が塞がれると共に、支持及び保持されて配されている。この外筒６０によれば、立上り管１１に対し、その保温と保護をすることができる。
【００２０】
また、５０は下部の継手であり、本管側の管路へ接続するための接続部になっている。この下部の継手５０には、雌螺子接続部５１、雄螺子接続部５２及び外周接続部５３が設けられており、雌螺子接続部５１は立上り管１１の下端１３の雄螺子部に螺合し、雄螺子接続部５２は本管側の管路への接続螺子部となっていると共に、外周接続部５３の雄螺子部は下端面部材６２の雌螺子部に螺合する形態になっている。
【００２１】
また、本発明にかかる不凍給水栓柱の水密シールは、本形態例のようにＯ−リングによって適宜に行うことができる。本形態例では、上部の継手２０の上側接続部２３の内周と上端プラグ４０の外周４３との間をシールするＯ−リングと、上端プラグ４０の内周４２と装着根元部３４の外周との間をシールするＯ−リングと、上部の継手２０の下側接続部２１の内周と立上り管１１の上端１２の外周との間をシールするＯ−リングと、下部の継手５０の雌螺子接続部５１の内周と立上り管１１の下端１３の外周との間をシールするＯ−リングが配されている。
なお、水密シールは、これに限定されず、シールテープを巻く方法や、パッキンによっても行うことができるのは勿論である。
【００２２】
また、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００２３】
１０  カラン
１１  立上り管
１２  上端
１３  下端
２０  上部の継手
２１  下側接続部
２２  側部接続部
２３  上側接続部
３０  電熱ヒータ
３１  棒状の発熱体部
３２  ヒータ部
３３  保護管部
３４  装着根元部
３４ａ  フランジ部
３５  電源コード
３６  電源プラグ
４０  上端プラグ
４１  挿通孔
４２  内周
４３  外周
５０  下部の継手
５１  雌螺子接続部
５２  雄螺子接続部
５３  外周接続部
６０  外筒
６１  上端面部材
６２  下端面部材
【図１】
2019124074.tif 000003